(57)【要約】【課題】  缶詰の底壁の周溝内に入った食物もきれいに掬い上げることができ、しかも、缶詰の凹凸のある底壁内面に付着した内容物も簡単かつ確実に掬い上げることができる缶詰用スプーンを提供する。【解決手段】  柄３と掬体４とを備える缶詰用スプーンであって、  掬体４の先端部に、缶詰の底壁の周溝に挿入可能な幅狭の掻出突片９と、掻出突片９で掻き出した内容物を掬う幅広の掬突片１０とが、切欠状溝１１を挟んで幅方向に並設され、掻出突片９は掬突片１０よりも先端側に大きく突出されかつ掬突片１０よりも平坦な薄板状に形成されている。【選択図】図１
2015204852.tif 000002
【特許請求の範囲】
【請求項１】
柄（３）と掬体（４）とを備える缶詰用スプーンであって、
掬体（４）の先端部に、缶詰の底壁の周溝に挿入可能な幅狭の掻出突片（９）と、掻出突片（９）で掻き出した内容物を掬う幅広の掬突片（１０）とが、切欠状溝（１１）を挟んで幅方向に並設され、掻出突片（９）は掬突片（１０）よりも先端側に大きく突出されかつ掬突片（１０）よりも平坦な薄板状に形成されていることを特徴とする缶詰用スプーン。
【請求項２】
掻出突片（９）は、掬体（４）の他の部分よりも厚みが薄く形成されると共に、先端に向かうに従って漸次小幅となる先細り状に形成されていることを特徴とする請求項１に記載の缶詰用スプーン。
【請求項３】
掬体（４）は柄（３）の先端部に幅方向一対の肩部（５，６）を介して連結されており、一方の肩部（５）の上縁（５ａ）は他方の肩部（６）の上縁（６ａ）よりも急勾配で傾斜されて、前記一方の肩部（５）は他方の肩部（６）に比べて低く形成されていることを特徴とする請求項１又は２のいずれかに記載の缶詰用スプーン。
【発明の詳細な説明】
【技術分野】
【０００１】
本発明は、猫缶や犬缶等のペット用食物等の内容物を掬い出すために適した缶詰用スプーンに関するものである。
【背景技術】
【０００２】
スプーンには柄と掬体とを備えたものがあり、この種の従来のスプーンは、掬体の先端側の外縁を直線状に形成したり、掬体の周縁部を弾性変形可能なシリコーンゴムで構成して、食器等の内面に付着した食物（内容物）を掻き取ってきれいに掬い上げるようにしたものがある（例えば特許文献１、２）。
【先行技術文献】
【特許文献】
【０００３】
【特許文献１】特開平１１−２９０１９０号公報
【特許文献２】特開２００２−６５４３８号公報
【発明の概要】
【発明が解決しようとする課題】
【０００４】
しかし、猫缶等のペット缶詰に収納された食物（内容物）を掬い出す場合、ペット缶詰の底壁には複数の周溝が形成され、特に底壁の外周部には比較的深い周溝が形成されており、従来のスプーンで、ペット缶詰の底壁の周溝内に入った食物をきれいに掬い上げることは困難であった。また、ペット缶詰の底壁内面には複数の周溝の形成による凹凸があるため、底壁の内面に付着した内容物を簡単かつ確実に掬い上げることができなかった。
【０００５】
本発明は上記問題点に鑑み、缶詰の底壁の周溝内に入った食物をもきれいに掬い上げることができ、しかも、缶詰の凹凸のある底壁内面に付着した内容物も簡単かつ確実に掬い上げることができる缶詰用スプーンを提供することを目的としている。
【課題を解決するための手段】
【０００６】
本発明における課題解決のための具体的手段は、次の通りである。
この技術的課題を解決する本発明の技術的手段は、柄３と掬体４とを備える缶詰用スプーンであって、
掬体４の先端部に、缶詰の底壁の周溝に挿入可能な幅狭の掻出突片９と、掻出突片９で掻き出した内容物を掬う幅広の掬突片１０とが、切欠状溝１１を挟んで幅方向に並設され、掻出突片９は掬突片１０よりも先端側に大きく突出されかつ掬突片１０よりも平坦な薄板状に形成されている点にある。
【０００７】
また、本発明の他の技術的手段は、掻出突片９は、掬体４の他の部分よりも厚みが薄く形成されると共に、先端に向かうに従って漸次小幅となる先細り状に形成されている点にある。
また、本発明の他の技術的手段は、掬体４は柄３の先端部に幅方向一対の肩部５，６を介して連結されており、一方の肩部５の上縁５ａは他方の肩部６の上縁６ａよりも急勾配で傾斜されて、前記一方の肩部５は他方の肩部６に比べて低く形成されている点にある。
【発明の効果】
【０００８】
本発明によれば、缶詰用スプーンで缶詰に収納した内容物を掬い出す場合、猫缶等のペット缶詰のように底壁の外周部に比較的深い周溝が形成されていても、掬体を缶詰内で垂直面に対して傾斜変更したり、掬体をその長手方向の中心軸廻りに回転変更したりして、周溝に掻出突片の先端部を挿入嵌合し、この状態で掬体の掻出突片を前側に向けて周溝内を走らせることによって、周溝内に入っている内容物を掻き取って容易に取り出すことができる。しかも、周溝に掻出突片を挿入して周溝内を走らせた際に、掻出突片で掻き出した内容物を掬突片で掬うことができ、缶詰の底壁の周溝内に入った内容物をきれいに掬い上げることが可能になる。
【０００９】
また、底壁内面が複数の周溝の形成によって凹凸になっていても、掬体を缶詰内で垂直面に対して傾斜変更したり、掬体をその長手方向の中心軸廻りに回転変更したりして、掻出突片と掬突片とを底壁内面の凹凸に適合させて広く接触させることができ、底壁内面に
付着した内容物を簡単かつ確実に掻き取ることができ、この点からも缶詰に収納された内容物を簡単かつきれいに掬い上げることができる。
【図面の簡単な説明】
【００１０】
【図１】本発明の一実施形態を示す缶詰用スプーンの正面図である。
【図２】同缶詰用スプーンの側面図である。
【図３】同缶詰用スプーンをスプーンスタンドに収納した状態の正面断面図である。
【図４】同缶詰用スプーンをスプーンスタンドに収納した状態の側面図である。
【図５】同缶詰用スプーンでペット缶詰の底壁上の内容物を掻き出すようすを示す正面断面図である。
【図６】同缶詰用スプーンでペット缶詰の周壁に付着した内容物を掻き出すようすを示す正面断面図である。
【発明を実施するための形態】
【００１１】
以下、本発明の実施の形態を図面に基づいて説明する。
図１〜図６は本発明の一実施形態を示している。図１〜図２において、缶詰用スプーン１は、鋳造によりアルミニウム等で形成したもので、柄３と掬体４とを一体に備え、掬体４は柄３の先端部に幅方向一対の肩部５，６を介して連結されている。
柄３は猫のしっぽをイメージするように幅方向に波形に湾曲されている。掬体４は概略すると長方形の板状に形成されている。
【００１２】
掬体４の先端部に幅狭の掻出突片９と幅広の掬突片１０とが切欠状溝１１を挟んで幅方向に並設されている。
掻出突片９は掬突片１０よりも先端側に突出されかつ掬突片１０よりも平坦な薄板状に形成されており、ペット缶詰の底壁の周溝に挿入可能になっている。掻出突片９は、掬体４の他の部分よりも厚みが薄く形成されると共に、先端に向かうに従って漸次小幅となる先細り状に形成されている。掻出突片９の先端側外周縁９ａは正面から見て円弧状に湾曲されている。
【００１３】
掬突片１０は掻出突片９よりも幅広であって、その先端側外周縁９ａを除いて凹面状に湾曲されており、掻出突片９で掻き出した内容物を掬うことができるようになっている。掬突片１０の先端側外周縁１０ａは正面から見て掻出突片９の先端側外周縁９ａよりも緩やかな円弧状に湾曲されている。而して、掻出突片９と掬突片１０との間の切欠状溝１１は、先端に向けて次第に幅広になった逆Ｖ字状に形成されている。
【００１４】
掬体４は、その外周部と掻出突片９とを除いて凹面状に湾曲されており、掻出突片９及び掬突片１０の基端側（上方）に凹面状の溜部１３を備えている。
掻出突片９側の肩部５の上縁５ａは掬突片１０側の肩部６の上縁６ａよりも掬体４の先端に向けて急勾配で傾斜されて、掻出突片９側の肩部５は掬突片１０側の肩部６に比べて低く形成されている。掬体４の幅方向両側の外側縁４ａ，４ｂはそれぞれ直線状に形成されている。
【００１５】
缶詰用スプーン１が使用されるペット缶詰１７は、図５及び図６に示すように、例えば猫缶と称される缶詰であって、図示省略の上蓋を取り外した状態で、円形の底壁１８と円筒状の周壁１９とを備えた有底円筒状に形成され、周壁１９の上端部に径方向内方に折曲した上環状突部２０を有し、猫等の餌となる食物（内容物）が収納されている。底壁１８には複数の周溝２２が形成され、最も外周の周溝２２は深い溝になっていて、底壁１８の内面は複数の周溝２２の形成によって凸凹になっている。
【００１６】
缶詰用スプーン１は、図３及び図４に示すスプーンスタンド２５に立てて収納できるようになっている。
図３及び図４において、スプーンスタンド２５は、底壁２７と前壁２８と後壁２９と左右の側壁３１，３２とを備え、底壁２７は長方形の板状に形成されている。前壁２８と後壁２９とは猫のシルエットを模した板状に形成され、前壁２８は底壁２７の前端から後上がりに傾斜して起立され、後壁２９は底壁２７の後端から前上がりに傾斜して起立され、前壁２８の上端部と後壁２９と上端部とが重合して連結されている。左右の側壁３１，３２は略台形の板状に形成され、左側壁３１は底壁１８の左端から左右方向内方に傾斜して
起立され、前壁２８と後壁２９とに連結されている。右側壁３２は底壁１８の右端から上方に起立され、前壁２８と後壁２９とに連結されている。
【００１７】
而して、缶詰用スプーン１をスプーンスタンド２５に収納する場合、缶詰用スプーン１の掬体４を下に向けると共に、掬体４の幅方向をスプーンスタンド２５の前壁２８及び後壁２９の幅方向に一致させた状態で、掬体４及び柄３の先端側を底壁２７上の左右の側壁３１，３２間及び前後壁２８，２９間に挿入保持し、柄３の基部側を前後壁２８，２９間の上下方向中途部から外側方に突出させるようにすればよく、缶詰用スプーン１をその掬体４を下に向けた状態で立てて収納保持できるようになっている。この際、缶詰用スプーン１の柄３が前壁２８及び後壁２９の猫の形状に対応した猫のしっぽとなり、全体がデザイン的に優れた興味深い立体形状になり、缶詰用スプーン１を体裁よく立てて収納できる。
【００１８】
前記実施形態によれば、缶詰用スプーン１でペット缶詰１７に収納した食物（内容物）を掬い出して食器等に移す場合、図５に示すように、掬体４をペット缶詰１７内で掬体４をその長手方向の中心軸廻りに回転変更して、掻出突片９の先端部を周溝２２に挿入嵌合し、この状態で掬体４の掻出突片９を前側に向けて周溝２２内を走らせることによって、周溝２２内に入っている食物を掻き取って容易に取り出すことができる。しかも、周溝２２に掻出突片９を挿入して周溝２２内を走らせた際に、掻出突片９で掻き出した食物を掬突片１０でうまく掬うことができ、ペット缶詰１７の底壁１８の周溝２２内に入った食物をきれいに掬い上げることが可能になる。
【００１９】
また、底壁１８内面が複数の周溝２２の形成によって凹凸になっていても、掬体４をペット缶詰１７内で垂直面に対して傾斜変更したり、掬体４をその長手方向の中心軸廻りに回転変更したりして、掻出突片９及び掬突片１０の先端側外周縁９ａ，１０ａを、底壁１８内面の凹凸に適合させて広く接触させ、底壁１８内面に付着した食物を簡単かつ確実に掻き取ることができ、この点からもペット缶詰１７に収納された食物を簡単かつきれいに掬い上げることができる。
【００２０】
従って、ペット缶詰１７の底壁１８に複数の周溝２２が形成されていても、ペット缶詰１７内に食物を残すことなくきれいに掬い出すことができ、食物の無駄がなくなり、ペット缶詰１７に食物が残ってにおいが発生するようなこともなくなるし、ペット缶詰１７を洗っても洗い流すための食物のゴミが減り、水質汚染の防止にもなる。
また、前記実施形態の場合、掻出突片９は、掬体４の他の部分よりも厚みが薄く形成されると共に、先端に向かうに従って漸次小幅となる先細り状に形成されているので、ペット缶詰１７の種類によって底壁１８の周溝２２の大小や断面形状に相違があるにも拘わらず、掻出突片９の先端部を周溝２２に簡単かつ確実に挿入嵌合して、掻出突片９を微妙に弾性変形させながら周溝２２内をスムーズに走らせることができるようになり、周溝２２内に入った食物をより一層きれいに掬い上げることが可能になる。
【００２１】
また、掬体４は、掻出突片９及び掬突片１０の基端側に凹面状の溜部１３を備えているので、掻出突片９や掬突片１０で掻き取った食物を掬体４の溜部１３により多く載せて効率よく掬い出すことができる。
また、掬体４の幅方向両側の外側縁４ａ，４ｂはそれぞれ直線状に形成されているので、図６に実線で示すように、掬体４の掬突片１０側の外側縁４ｂをペット缶詰１７の周壁１９の内面に幅広く接触させることができ、この状態で掬体４を周壁１９に沿って走らせることにより、周壁１９内面に付着した食物を効率よく掻き落として、スムーズに掬い出すことができるようになる。しかも、この際に、掬突片１０側の肩部６の上縁６ａをペット缶詰１７の上環状突部２０の内面に接触又は近接させることにより、上環状突部２０の内面や周壁１９の上部内面に付着した食物も効率よく掻き落として掬い上げることができる。
【００２２】
また、図６に２点鎖線で示すように、掬体４の掻出突片９側の外側縁４ａをペット缶詰１７の周壁１９の内面に幅広く接触させて周壁１９に沿って走らせることにより、周壁１９内面に付着した食物を効率よく掻き落として、スムーズに掬い出すことができるようになる。しかも、この際に、ペット缶詰１７の周壁１９の高さが掬体４の長さと比べて相当
小さいものであっても、掻出突片９側の肩部５の上縁５ａは急勾配で傾斜されているから、肩部５の上縁５ａをペット缶詰１７の上環状突部２０から内方に逃がすことができるし、また、掬体４をペット缶詰１７内で垂直面に対して傾斜変更して周壁１９内面に接触する長さを調整することができるため、周壁１９の内面に付着した食物を効率よく掻き落として掬い上げることができる。
【００２３】
なお、前記実施形態では、掻出突片９側の肩部５の上縁５ａは掬突片１０側の肩部６の上縁６ａよりも掬体４の先端に向けて急勾配で傾斜されて、掻出突片９側の肩部５は掬突片１０側の肩部６に比べて低く形成されているが、これに代え、掬突片１０側の肩部６の上縁６ａを掻出突片９側の肩部５の上縁６ａよりも掬体４の先端に向けて急勾配で傾斜させて、掬突片１０側の肩部６を掻出突片９側の肩部５に比べて低く形成してもよい。
【００２４】
また、前記実施形態では、正面から見て掬体４の先端部の左側に掻出突片９を設け、掬体４の先端部の右側に掬突片１０を設けているが、これに代え、掬体４の先端部の左側に掬突片１０を設け、掬体４の先端部の右側に掻出突片９を設けるようにしてもよい。
また、缶詰用スプーン１でペット缶詰１７から掬い出す内容物は猫用の食物に限定されず、犬用その他の食物であってもよいし、食物以外のものであってもよい。また、缶詰用スプーン１はペット缶詰１７以外の缶詰に用いてもよい。また、缶詰用スプーン１はアルミニウム以外の材料で構成するようにしてもよい。
【符号の説明】
【００２５】
１      缶詰用スプーン
３      柄
４      掬体
４ａ    外側縁
４ｂ    外側縁
５      肩部
５ａ    上縁
６      肩部
６ａ    上縁
９      掻出突片
１０    掬突片
１１    切欠状溝
１３    溜部
１７    ペット缶詰
１８    底壁
２２    周溝
【図１】
2015204852.tif 000003
【図２】
2015204852.tif 000004
【図３】
2015204852.tif 000005
【図４】
2015204852.tif 000006
【図５】
2015204852.tif 000007
【図６】
2015204852.tif 000008